(57)【要約】      （修正有）【課題】構成部材の数が少なく、且つ全体の組立て構造も簡素化され、且つ開閉操作も容易で繰り返し使用による故障の発生も確実に防止することができる鞄類の開閉装置を提供する。【解決手段】前後一対の断面凹形の収容用体２・３と、これら収容用体２・３の開口側同士が対向した状態で隣り合う一端縁を接続する左右一対のヒンジと、ヒンジの反対側端縁２ｂ・３ｂに設けられた取っ手５とを有し、一方の収容用体２における前記ヒンジと反対側の端縁２ｂの中央部分には該部分から他方の収容用体３側へ突出する所定長の中央軌道部６が設けられ、他方の収容用体３における前記ヒンジと反対側の端縁３ｂには、その両側部分に一方の収容用体２側へ突出する所定長の両側軌道部７が設けられている。【選択図】図１
2020114269.tif 000002
【特許請求の範囲】
【請求項１】
前後一対の断面凹形の収容用体と、これら収容用体の開口側同士が対向した状態で隣り合う一端縁を接続するヒンジと、ヒンジの反対側端縁に設けられた取っ手とを有する鞄類の開閉装置であって、一方の収容用体における前記ヒンジと反対側の端縁の中央部分に該部分から他方の収容用体側へ突出する所定長の中央軌道部が設けられ、他方の収容用体における前記ヒンジと反対側の端縁には、その両側部分に一方の収容用体側へ突出する所定長の両側軌道部が設けられ、両側軌道部間の凹所に前記中央軌道部が嵌められて一連の軌道部が構成されるようになされ、前記取っ手は両側方向に分割された左右一対の取っ手半部材で構成され、これら取っ手半部材の下部には前記中央軌道部および前記両側軌道部に沿ってスライドする所定長のベースが設けられ、これらベースと前記各軌道部のいずれか一方にスライド用溝が形成され、同他方には前記スライド溝に嵌め込まれて該スライド溝内を動く係合部が設けられており、前記両取っ手半部材同士を前記中央軌道部上で合体させることによって、これらのベースが中央軌道部と両側軌道部とに跨って両収容用体が結合されてロック状態となり、取っ手半部材同士を離間させて、これらのベースをそれぞれ両側軌道部へスライドさせることによって、前記ロック状態が解除されて両収容用体が開放されるようになされている、鞄類の開閉装置。
【請求項２】
スライド用溝と係合部との嵌合がアリ溝嵌合である、請求項１記載の鞄類の開閉装置。
【請求項３】
スライド用溝と係合部との嵌合がＴ溝嵌合である、請求項１記載の鞄類の開閉装置。
【請求項４】
取っ手半部材同士が磁石によって接着自在となされている、請求項１〜請求項３のうちのいずれか一項記載の鞄類の開閉装置。
【請求項５】
一方の収容用体の中央軌道部における長さ中央部分に両取っ手半部材がそれぞれ当接する位置決め用凸部が設けられている、請求項１〜請求項４のうちのいずれか一項記載の鞄類の開閉装置。
【発明の詳細な説明】
【技術分野】
【０００１】
本発明は、アタッシュケース、スーツケースおよびキャリーバッグ、或いは楽器や各種道具等を収容するケース（以下、「鞄類」という）の開閉を行うための開閉装置に関する。
【背景技術】
【０００２】
従来、例えば、アタッシュケースにおいては、錠前として、ケース上部の中央の操作部がレバーホルダーに取り付けられた上方レバーと下方レバーの組み合わせ体、並びに該下方レバーと係合するカム板、該カム板に取り付けられた右側リンクおよび左側リンク等を備えたもので構成され、そして、前記操作部には、ダイヤル錠の数字盤の操作によって前記左右リンクの動きを阻止したり、解放したりする構造が組み込まれ、且つ該左右リンクの先端には、前記ケースの蓋に取り付けた係止鉤と係合するスライダーが介在されたものが知られている。このような錠前によれば、前記ダイヤル錠と、前記レバーとの組み合わせ体の操作のみでアタッシュケースの施錠と解錠が行える。
【先行技術文献】
【特許文献】
【０００３】
【特許文献１】特開２００４−０６８３９４号公報
【発明の概要】
【発明が解決しようとする課題】
【０００４】
しかしながら、前述したアタッシュケースの錠前では、操作部に上下のレバーやカム板、ダイヤル回動部および係止鉤等の多くの構成部品が必要であると共に、これら部品を組み立てた全体構造も複雑となることから、他の鞄類にそのまま適用できない場合もあり、またケースの開閉が繰り返して多数回行われることで前記操作部の磨耗等によって、故障が発生するおそれもあった。
【０００５】
本発明の目的は、構成部材の数が少なく、且つ全体の組立て構造も簡素化され、且つ開閉操作も容易で繰り返し使用による故障の発生も確実に防止することができる鞄類の開閉装置を提供することにある。
【課題を解決するための手段】
【０００６】
請求項１記載の本発明は、前後一対の断面凹形の収容用体と、これら収容用体の開口側同士が対向した状態で隣り合う一端縁を接続するヒンジと、ヒンジの反対側端縁に設けられた取っ手とを有する鞄類の開閉装置であって、一方の収容用体における前記ヒンジと反対側の端縁の中央部分に該部分から他方の収容用体側へ突出する所定長の中央軌道部が設けられ、他方の収容用体における前記ヒンジと反対側の端縁には、その両側部分に一方の収容用体側へ突出する所定長の両側軌道部が設けられ、両側軌道部間の凹所に前記中央軌道部が嵌められて一連の軌道部が構成されるようになされ、前記取っ手は両側方向に分割された左右一対の取っ手半部材で構成され、これら取っ手半部材の下部には前記中央軌道部および前記両側軌道部に沿ってスライドする所定長のベースが設けられ、これらベースと前記各軌道部のいずれか一方にスライド用溝が形成され、同他方には前記スライド溝に嵌め込まれて該スライド溝内を動く係合部が設けられており、前記両取っ手半部材同士を前記中央軌道部上で合体させることによって、これらのベースが中央軌道部と両側軌道部とに跨って両収容用体が結合されてロック状態となり、取っ手半部材同士を離間させて、これらのベースをそれぞれ両側軌道部へスライドさせることによって、前記ロック状態が解除されて両収容用体が開放されるようになされている鞄類の開閉装置である。
【０００７】
請求項２記載の本発明は、前記請求項１記載の鞄類の開閉装置について、スライド用溝と係合部との嵌合がアリ溝嵌合であることを特徴とする。
【０００８】
請求項３記載の本発明は、前記請求項１記載の鞄類の開閉装置について、スライド用溝と係合部との嵌合がＴ溝嵌合であるあることを特徴とする。
【０００９】
請求項４記載の本発明は、前記請求項１〜請求項３のうちのいずれか一項記載の鞄類の開閉装置について、取っ手半部材同士が磁石によって接着自在となされているものである。
【００１０】
請求項５記載の本発明は、請求項１〜請求項４のうちのいずれか一項記載の鞄類の開閉装置について、一方の収容用体の中央軌道部における長さ中央部分に両取っ手半部材がそれぞれ当接する位置決め用凸部が設けられていることを特徴とするものである。
【発明の効果】
【００１１】
本発明に係る鞄類の開閉装置は、前述した通り、前後一対の断面凹形の収容用体と、これら収容用体の開口側同士が対向した状態で隣り合う一端縁を接続するヒンジと、ヒンジの反対側端縁に設けられた取っ手とを有する鞄類の開閉装置であって、一方の収容用体における前記ヒンジと反対側の端縁の中央部分に該部分から他方の収容用体側へ突出する所定長の中央軌道部が設けられ、他方の収容用体における前記ヒンジと反対側の端縁には、その両側部分に一方の収容用体側へ突出する所定長の両側軌道部が設けられ、両側軌道部間の凹所に前記中央軌道部が嵌められて一連の軌道部が構成されるようになされ、前記取っ手は両側方向に分割された左右一対の取っ手半部材で構成され、これら取っ手半部材の下部には前記中央軌道部および前記両側軌道部に沿ってスライドする所定長のベースが設けられ、これらベースと前記各軌道部のいずれか一方にスライド用溝が形成され、同他方には前記スライド溝に嵌め込まれて該スライド溝内を動く係合部が設けられており、前記両取っ手半部材同士を前記中央軌道部上で合体させることによって、これらのベースが中央軌道部と両側軌道部とに跨って両収容用体が結合されてロック状態となり、取っ手半部材同士を離間させて、これらのベースをそれぞれ両側軌道部へスライドさせることによって、前記ロック状態が解除されて両収容用体が開放されるようになされているものであるため、このような開閉装置によれば、種々の鞄類について、その本体部が合成樹脂製であっても、アルミニウム合金等の金属製であっても、皮製であっても、更には木製であっても、各材質に関係なく、常に簡略化された構造で、しかも従来のように多数の構成部品を用いることなく、ロックの開閉が行える。
【図面の簡単な説明】
【００１２】
【図１】本発明の実施形態１に係るアタッシュケースの斜視図である。
【図２】図１のアタッシュケースについて、取っ手を両側方向へ移動させた状態の斜視図である。
【図３】図２のアタッシュケースで一対の収容用体を開放した状態の斜視図である。
【図４】同実施形態における取っ手部分の拡大側面図である。
【図５】同実施形態のアタッシュケースの底面図である。
【図６】Ｔ溝嵌合の例を示す取っ手部分の拡大側面図である。
【図７】実施形態２に係るアタッシュケースの斜視図である。
【図８】図７のアタッシュケースについて、取っ手を両側方向へ移動させた状態の斜視図である。
【図９】図８のアタッシュケースで一対の収容用体を開放した状態の斜視図である。
【図１０】同実施形態における取っ手部分の拡大側面図である。
【図１１】同実施形態のアタッシュケースの底面図である。
【発明を実施するための形態】
【００１３】
次に、本発明の実施形態を図面にしたがって説明するが、本発明はかかる実施形態に限定されるものではない。
（実施形態１）
【００１４】
図１〜図５に示すように、本実施形態は、全体が木製のボックス形状のアタッシュケース１における開閉装置であって、アタッシュケース１は、前後一対の断面凹形の収容用体２・３と、これら収容用体２・３の開口側同士が対向した状態で隣り合う一端縁２ａ・３ａを接続する左右一対のヒンジ４と、ヒンジ４の反対側端縁２ｂ・３ｂに設けられた取っ手５とを有し、前側の収容用体２における前記ヒンジ４と反対側の端縁２ｂの中央部分には該部分から後方の収容用体３側へ突出する所定長の中央軌道部６が設けられ、後側の収容用体３における前記ヒンジ４と反対側の端縁３ｂには、その両側部分に前側の収容用体２側へ突出する所定長の両側軌道部７が設けられ、両側軌道部７間の凹所８に前記中央軌道部６が嵌められて一連の軌道部６・７が構成されるようになされ、前記取っ手５は両側方向に分割された左右一対の取っ手半部材５Ａ・５Ｂで構成され、これら取っ手半部材５Ａ・５Ｂの下部には前記中央軌道部６および前記両側軌道部７に沿ってスライドする所定長のベース９が設けられ、これらベース９と前記一連の軌道部６・７のうち、本実施形態では、一連の軌道部６・７にスライド用溝としてのアリ溝１１Ａ・１１Ｂが形成され、同他方（ベース９）には前記アリ溝１１Ａ・１１Ｂに嵌め込まれて該アリ溝１１Ａ・１１Ｂ内を動く横断面略台形状の係合部１２が設けられており、前記両取っ手半部材５Ａ・５Ｂを中央軌道部６上へ移動させることで、中央軌道部６のアリ溝１１Ａの長さ中央部に設けられた位置決め用凸部１０に両取っ手半部材５Ａ・５Ｂのベース９の係合部１２が当接すると共に両取っ手半部材５Ａ・５Ｂの先端面に取り付けられた磁石Ｍ１・Ｍ２によって、両取っ手半部材５Ａ・５Ｂ同士が接着合体されて取っ手５が形成され、またこれに伴ってベース９が中央軌道部６と両側軌道部７（境界ＢＬ）とに跨って両収容用体２・３が結合されてロック状態となる（図１参照）。また、取っ手半部材５Ａ・５Ｂ同士を離間させて、これらのベース９をそれぞれ両側軌道部７へスライドさせることによって（図２参照）、前記ロック状態が解除されて両収容用体２・３が開放される（図３参照）。
【００１５】
なお、前記マグネットＭ１は、取っ手半部材５Ａの先端面の窪み部Ｂ底部に設けられ、マグネットＭ２は突起部Ｒに設けられている。
【００１６】
本実施形態では、一連の軌道部６・７にアリ溝１１Ａ・１１Ｂを設け、両取っ手半部材５Ａ・５Ｂのベース９の係合部１２を前記アリ溝１１Ａ・１１Ｂ内に嵌め入れられる横断面略台形状としたが、両取っ手半部材５Ａ・５Ｂのベース９にアリ溝を設け、一連の軌道部６・７にアリ溝内に嵌め入れられる横断面略台形状の係合部を設けられても良い。
【００１７】
本実施形態では、図３および図４等に見られるように、収容用体２・３におけるヒンジ４と反対側の端縁２ｂ・３ｂ上に一連の軌道部６・７が上方に突出した形態で設けられている。
【００１８】
更に、図６に示すように、前記アリ溝１１Ａ・１１Ｂに代えてＴ溝３１Ａ・３１Ｂと該Ｔ溝３１Ａ・３１Ｂに嵌め入れられる係合部３２としても良い。
（実施形態２）
【００１９】
本実施形態に係る鞄類も前記実施形態１と同様、全体がボックス形状のアタッシュケース２１における開閉装置であるが、前記実施形態１のアタッシュケース１では、前述した通り、収容用体２・３におけるヒンジ４と反対側の端縁２ｂ・３ｂ上に一連の軌道部６・７が上方に突出した形態で設けられていたが、本実施形態のアタッシュケース２１では、図９および図１０に見られるように、収容用体２２・２３におけるヒンジ２４と反対側の端縁２２ｂ・２３ｂは、そのレベルを前記実施形態１よりも下位にして、一連の軌道部２６・２７が上方に突出しない形態となされている。
【００２０】
そして、本実施形態のアタッシュケース２１は、前後一対の断面凹形の収容用体２２・２３と、これら収容用体２２・２３の開口側同士が対向した状態で隣り合う一端縁２２ａ・２３ａを接続する一連のヒンジ２４と、ヒンジ２４の反対側端縁２２ｂ・２３ｂに設けられた取っ手２５とを有し、前側の収容用体２２における前記ヒンジ２４と反対側の端縁２２ｂの中央部分には該部分から後方の収容用体２３側へ突出する所定長の中央軌道部２６が設けられ、後側の収容用体２３における前記ヒンジ２４と反対側の端縁２３ｂには、その両側部分に前側の収容用体２２側へ突出する所定長の両側軌道部２７が設けられ、両側軌道部２７間の凹所２８に前記中央軌道部２６が嵌められて一連の軌道部２６・２７が構成されるようになされ、前記取っ手２５は両側方向に分割された左右一対の取っ手半部材２５Ａ・２５Ｂで構成され、これら取っ手半部材２５Ａ・２５Ｂの下部には前記中央軌道部２６および前記両側軌道部２７に沿ってスライドする所定長のベース２９が設けられ、これらベース２９と前記一連の軌道部２６・２７のうち、本実施形態では、一連の軌道部２６・２７にスライド用溝としてのアリ溝４１Ａ・４１Ｂが形成され、同他方には前記アリ溝４１Ａ・４１Ｂに嵌め込まれて該アリ溝４１Ａ・４１Ｂ内を動く横断面略台形状のベース係合部４２が設けられており、前記両取っ手半部材２５Ａ・５Ｂを中央軌道部２６上へ移動させることで、中央軌道部２６のアリ溝４１Ａの長さ中央部に設けられた位置決め用凸部５０に両取っ手半部材２５Ａ・２５Ｂのベース２９の係合部４２が当接すると共に両取っ手半部材２５Ａ・２５Ｂの先端面に取り付けられた磁石Ｍ１・Ｍ２によって、両取っ手半部材２５Ａ・２５Ｂ同士が接着合体されて取っ手２５が形成され、またこれに伴ってベース２９が中央軌道部２６と両側軌道部２７とに跨って両収容用体２２・２３が結合されてロック状態となる（図７参照）。また、取っ手半部材２５Ａ・２５Ｂ同士を離間させて、これらのベース２９をそれぞれ両側軌道部２７へスライドさせることによって（図８参照）、前記ロック状態が解除されて両収容用体２２・２３が開放される（図９参照）。
【産業上の利用可能性】
【００２１】
本発明によれば、種々の鞄類の構成材料や形態に関係なく、常に簡単にロックの開閉が行えるため、鞄類の分野において幅広い利用が期待できる。
【符号の説明】
【００２２】
１・２１  アタッシュケース
２・２２  一方の収容用体
３・２３  他方の収容用体
４・  ２４  ヒンジ
５・２５  取っ手
５Ａ・５Ｂ・２５Ａ・２５Ｂ  取っ手半部材
６・２６  中央軌道部
７・２７  両側軌道部
８・２８  凹所
９・２９  ベース部
１０・５０  位置決め用凸部
１１Ａ・１１Ｂ・４１Ａ・４１Ｂ  アリ溝
１２・４２  係合部
Ｍ１・Ｍ２  マグネット
【図１】
2020114269.tif 000003
【図２】
2020114269.tif 000004
【図３】
2020114269.tif 000005
【図４】
2020114269.tif 000006
【図５】
2020114269.tif 000007
【図６】
2020114269.tif 000008
【図７】
2020114269.tif 000009
【図８】
2020114269.tif 000010
【図９】
2020114269.tif 000011
【図１０】
2020114269.tif 000012
【図１１】
2020114269.tif 000013